(57)【要約】【課題】バスバと単電池の電極タブとの溶接部分における機械的強度の低下および電気抵抗の増加を防止することができるスペーサを提供する。【解決手段】スペーサ（第１スペーサ１１４）は、絶縁性を有し、発電要素１１１を含み扁平に形成した電池本体１１０Ｈと電池本体から導出し先端部１１２ｄが電池本体の厚み方向に沿って屈折した電極タブ１１２とを備え互いに積層する単電池１１０同士をバスバ１３２によって単電池の積層方向（Ｚ方向）に沿って電気的に接続してなる組電池１００に用い、各々の単電池の間に備える。第１スペーサは、当接部１１４ｈと、窪部１１４ｉと、連通部１１４ｊと、を有する。当接部は、単電池の積層方向に沿って電極タブの先端部に当接する。窪部は、電極タブの先端部から離間するように単電池の積層方向と交差する方向に窪んでいる。連通部は、窪部の内側を窪部の外部に連通させる。【選択図】図９Ｂ
2018084088.tif 000002
【特許請求の範囲】
【請求項１】
発電要素を含み扁平に形成した電池本体と前記電池本体から導出し先端部が前記電池本体の厚み方向に沿って屈折した電極タブとを備え互いに積層する単電池同士をバスバによって単電池の積層方向に沿って電気的に接続してなる組電池に用い、各々の前記単電池の間に備える絶縁性のスペーサであって、
前記単電池の積層方向に沿って前記電極タブの先端部に当接する当接部と、
前記電極タブの前記先端部から離間するように前記単電池の積層方向と交差する方向に窪んだ窪部と、
前記窪部の内側を前記窪部の外部に連通させる連通部と、を有するスペーサ。
【請求項２】
前記当接部は、前記電極タブの前記先端部の幅方向に沿った両端の部分に当接する、請求項１に記載のスペーサ。
【請求項３】
前記当接部は、前記電極タブの前記先端部の幅方向に沿った両端から離間した部分に当接する、請求項１または２に記載のスペーサ。
【請求項４】
前記窪部は、前記当接部の位置から、前記電極タブの幅方向に沿った前記バスバと前記電極タブの前記先端部との溶接部位に対応する位置にいたる領域に備えた、請求項１〜３のいずれか１項に記載のスペーサ。
【請求項５】
前記連通部は、前記当接部と隣り合う部分を前記電極タブの前記先端部から離間するように切り欠いてなる、請求項１〜４のいずれか１項に記載のスペーサ。
【請求項６】
前記窪部と隣接し、前記単電池の積層方向と交差する方向に沿って前記電極タブを部分的に支持する支持部を、さらに有する請求項１〜５のいずれか１項に記載のスペーサ。
【請求項７】
前記連通部は、前記当接部から離間した部分を、前記単電池の積層方向に沿って前記窪部まで貫通させてなる、請求項１〜６のいずれか１項に記載のスペーサ。
【請求項８】
発電要素を含み扁平に形成した電池本体と、前記電池本体から導出し先端部が前記電池本体の厚み方向に沿って屈折した電極タブと、を備え互いに積層する複数の単電池と、
前記単電池の積層方向に沿って前記電極タブの先端部に当接する当接部と、前記電極タブの前記先端部から離間するように前記単電池の積層方向と交差する方向に窪んだ窪部と、前記窪部の内側を前記窪部の外部に連通させる連通部と、を備えた絶縁性の複数のスペーサと、
異なる前記単電池の前記電極タブの前記先端部同士を電気的に接続するバスバと、を有する組電池。
【請求項９】
発電要素を含み扁平に形成した電池本体と前記電池本体から導出し先端部が前記電池本体の厚み方向に沿って屈折した電極タブとを備えた各々の単電池の間に、請求項１に記載のスペーサを配置し、
異なる前記単電池の前記電極タブの前記先端部同士を電気的に接続するバスバを、各々の前記電極タブの前記先端部に当接させ、
溶接用のレーザ光を前記スペーサの前記窪部の位置に対応するように前記バスバに照射して、前記バスバと前記単電池の前記先端部とを溶接する組電池の製造方法。
【発明の詳細な説明】
【技術分野】
【０００１】
本発明は、スペーサ、組電池、および組電池の製造方法に関する。
【背景技術】
【０００２】
従来から、例えば、電気自動車のような車両に搭載され、車両用モータを駆動させる電源として使用される組電池（一形態として電池モジュール）がある。組電池は、スペーサ（電池ホルダ）を用いて単電池（電池）を積層して構成している。異なる単電池の電極タブ同士は、バスバによって電気的に接続している（特許文献１を参照。）。
【先行技術文献】
【特許文献】
【０００３】
【特許文献１】特開２００４−６３３４７号公報
【発明の概要】
【発明が解決しようとする課題】
【０００４】
ところで、単電池をスペーサに取り付けた状態において、バスバと単電池の電極タブとをレーザ溶接すると、レーザ光によって加熱されたスペーサの一部が蒸発して、ガスが発生することがある。ガスが、バスバと単電池の電極タブとの溶接部分に混入すると、その溶接部分の機械的強度が低下し電気抵抗が増加する虞がある。【０００５】
本発明の目的は、バスバと単電池の電極タブとの溶接部分における機械的強度の低下および電気抵抗の増加を防止することができるスペーサ、組電池、および組電池の製造方法を提供することにある。
【課題を解決するための手段】
【０００６】
上記目的を達成するためのスペーサは、絶縁性を有し、発電要素を含み扁平に形成した電池本体と前記電池本体から導出し先端部が前記電池本体の厚み方向に沿って屈折した電極タブとを備え互いに積層する単電池同士をバスバによって前記単電池の積層方向に沿って電気的に接続してなる組電池に用い、各々の前記単電池の間に備える。前記スペーサは、当接部と、窪部と、連通部と、を有する。前記当接部は、前記単電池の積層方向に沿って前記電極タブの前記先端部に当接する。前記窪部は、前記電極タブの前記先端部から離間するように前記単電池の積層方向と交差する方向に窪んでいる。前記連通部は、前記窪部の内側を前記窪部の外部に連通させる。【０００７】
上記目的を達成するための組電池は、互いに積層する複数の単電池と、複数のスペーサと、バスバと、を有する。前記単電池は、発電要素を含み扁平に形成した電池本体と、前記電池本体から導出し先端部が前記電池本体の厚み方向に沿って屈折した電極タブと、を備えた。前記スペーサは、絶縁性を有し、前記単電池の積層方向に沿って前記電極タブの前記先端部に当接する当接部と、前記電極タブの前記先端部から離間するように前記単電池の積層方向と交差する方向に窪んだ窪部と、前記窪部の内側を前記窪部の外部に連通させる連通部と、を備えた。前記バスバは、異なる前記単電池の前記電極タブの前記先端部同士を電気的に接続する。【０００８】
上記目的を達成するための組電池の製造方法は、発電要素を含み扁平に形成した電池本体と前記電池本体から導出し先端部が前記電池本体の厚み方向に沿って屈折した電極タブとを備えた各々の単電池の間に、上記のスペーサを配置する。さらに、異なる前記単電池の前記電極タブの前記先端部同士を電気的に接続するバスバを、各々の前記電極タブの前記先端部に当接させる。さらに、溶接用のレーザ光を前記スペーサの前記窪部の位置に対応するように前記バスバに照射して、前記バスバと前記単電池の前記先端部とを溶接する。
【図面の簡単な説明】
【０００９】
【図１】実施形態に係る組電池を示す斜視図である。
【図２】図１に示す組電池から、加圧ユニット（上部加圧板と下部加圧板と左右の側板）を取り外し、かつ、バスバユニットの一部（保護カバーとアノード側ターミナルとカソード側ターミナル）を取り外した状態を示す斜視図である。
【図３Ａ】積層した単電池の電極タブにバスバを接合した状態の要部を断面によって示す斜視図である。
【図３Ｂ】図３Ａを側方から示す端面図である。
【図４】図２に示す積層体から、バスバホルダとバスバを取り外した状態を示す斜視図である。
【図５】図４に示す第１セルサブアッシと第２セルサブアッシをバスバによって電気的に接続する状態を示す斜視図である。
【図６】図４に示す第１セルサブアッシ（並列接続する３組の単電池）を単電池毎に分解し、かつ、そのうちの１つ（最上部）の単電池から第１スペーサと第２スペーサを取り外した状態を示す斜視図である。
【図７】単電池の一部と第１スペーサの一部を示す斜視図である。
【図８】第１スペーサの一部を示す斜視図である。
【図９Ａ】第１スペーサに配置された単電池の先端部にバスバを当接させて、単電池の先端部とバスバをレーザ溶接する一の状態を示す模式図である。
【図９Ｂ】第１スペーサに配置された単電池の先端部にバスバを当接させて、単電池の先端部とバスバをレーザ溶接する他の状態を示す模式図である。
【図１０】第１実施形態の変形例の第１スペーサの一部を示す斜視図である。
【図１１】第２実施形態の第１スペーサの一部（Ｙ方向に沿った片側）を示す斜視図である。
【図１２Ａ】図１１の第１スペーサの１２Ａ−１２Ａで表す断面によって第１スペーサと単電池の一部を示す側面図である。
【図１２Ｂ】図１１の第１スペーサの１２Ｂ−１２Ｂで表す断面によって第１スペーサと単電池の一部を示す側面図である。
【図１３】第３実施形態の第１スペーサの一部（Ｙ方向に沿った片側）を示す斜視図である。
【発明を実施するための形態】
【００１０】
以下、添付した図面を参照しながら、本発明の第１〜第３実施形態を説明する。図面において、同一の部材には同一の符号を付し、重複する説明を省略する。図面において、各部材の大きさや比率は、第１〜第３実施形態の理解を容易にするために誇張し、実際の大きさや比率とは異なる場合がある。
【００１１】
各図において、Ｘ、Ｙ、およびＺで表す矢印を用いて、組電池１００の方位を示している。Ｘによって表す矢印の方向は、組電池１００の長手方向を示している。Ｙによって表す矢印の方向は、組電池１００の短手方向を示している。Ｚによって表す矢印の方向は、組電池１００の積層方向を示している。
【００１２】
図１は、実施形態に係る組電池１００を示す斜視図である。図２は、図１に示す組電池１００から、加圧ユニット１２０（上部加圧板１２１と下部加圧板１２２と左右の側板１２３）を取り外し、かつ、バスバユニット１３０の一部（保護カバー１３５とアノード側ターミナル１３３とカソード側ターミナル１３４）を取り外した状態を示す斜視図である。図３Ａは、積層した単電池１１０の電極タブ１１２にバスバ１３２を接合した状態の要部を断面によって示す斜視図である。図３Ｂは、図３Ａを側方から示す端面図である。図４は、図２に示す積層体１１０Ｓから、バスバホルダ１３１とバスバ１３２を取り外した状態を示す斜視図である。図５は、図４に示す第１セルサブアッシ１１０Ｍと第２セルサブアッシ１１０Ｎをバスバ１３２によって電気的に接続する状態を示す斜視図である。図６は、図４に示す第１セルサブアッシ１１０Ｍ（並列接続する３組の単電池１１０）を単電池１１０毎に分解し、かつ、そのうちの１つ（最上部）の単電池１１０から第１スペーサ１１４と第２スペーサ１１５を取り外した状態を示す斜視図である。図７は、単電池１１０の一部と第１スペーサ１１４の一部を示す斜視図である。図８は、第１スペーサ１１４の一部を示す斜視図である。図９Ａは、第１スペーサ１１４に配置された単電池１１０の先端部１１２ｄにバスバ１３２を当接させて、単電池１１０の先端部１１２ｄとバスバ１３２をレーザ溶接する一の状態を示す模式図である。図９Ｂは、第１スペーサ１１４に配置された単電池１１０の先端部１１２ｄにバスバ１３２を当接させて、単電池１１０の先端部１１２ｄとバスバ１３２をレーザ溶接する他の状態を示す模式図である。
【００１３】
図８および図９Ａを参照して、実施形態に係るスペーサ（第１スペーサ１１４）は、概説すれば、発電要素１１１を含み扁平に形成した電池本体１１０Ｈと電池本体１１０Ｈから導出し先端部１１２ｄが電池本体１１０Ｈの厚み方向に沿って屈折した電極タブ１１２とを備え互いに積層する単電池１１０同士をバスバ１３２によって単電池１１０の積層方向（Ｚ方向）に沿って電気的に接続してなる組電池１００に用い、各々の単電池１１０の間に備える。第１スペーサ１１４は、当接部１１４ｈと、窪部１１４ｉと、連通部１１４ｊと、を有する。当接部１１４ｈは、単電池１１０の積層方向に沿って電極タブ１１２の先端部１１２ｄに当接する。窪部１１４ｉは、電極タブ１１２の先端部１１２ｄから離間するように単電池１１０の積層方向と交差する方向に窪んでいる。連通部１１４ｊは、窪部１１４ｉの内側を窪部１１４ｉの外部に連通させる。
【００１４】
図８および図９Ａを参照して、実施形態に係る組電池１００は、概説すれば、互いに積層する複数の単電池１１０と、複数のスペーサ（第１スペーサ１１４）と、バスバ１３２と、を有する。単電池１１０は、発電要素１１１を含み扁平に形成した電池本体１１０Ｈと、電池本体１１０Ｈから導出し先端部１１２ｄが電池本体１１０Ｈの厚み方向に沿って屈折した電極タブ１１２と、を備えた。第１スペーサ１１４は、単電池１１０の積層方向（Ｚ方向）に沿って電極タブ１１２の先端部１１２ｄに当接する当接部１１４ｈと、電極タブ１１２の先端部１１２ｄから離間するように単電池１１０の積層方向と交差する方向に窪んだ窪部１１４ｉと、窪部１１４ｉの内側を窪部１１４ｉの外部に連通させる連通部１１４ｊと、を備えた。バスバ１３２は、異なる単電池１１０の電極タブ１１２の先端部１１２ｄ同士を電気的に接続する。
【００１５】
図８、図９Ａおよび図９Ｂを参照して、実施形態に係る組電池１００の製造方法は、概説すれば、発電要素１１１を含み扁平に形成した電池本体１１０Ｈと電池本体１１０Ｈから導出し先端部１１２ｄが電池本体１１０Ｈの厚み方向に沿って屈折した電極タブ１１２とを備えた各々の単電池１１０の間に、上記のスペーサ（第１スペーサ１１４）を配置する。さらに、異なる単電池１１０の電極タブ１１２の先端部１１２ｄ同士を電気的に接続するバスバ１３２を、各々の電極タブ１１２の先端部１１２ｄに当接させる。さらに、溶接用のレーザ光Ｌを第１スペーサ１１４の窪部１１４ｉの位置に対応するようにバスバ１３２に照射して、バスバ１３２と単電池１１０の先端部１１２ｄとを溶接する。
【００１６】
組電池１００は、電気自動車のような車両に複数搭載され屋外の充電スタンド等からの電力で充電可能であると共に、車両用モータを駆動させる電源として使用される。組電池１００は、複数の単電池１１０を積層してなる積層体１１０Ｓを、加圧ユニット１２０によって加圧した状態において、バスバユニット１３０によって電気的に接続して構成している。以下、スペーサ（第１スペーサ１１４）を含む組電池１００の各構成を説明する。
【００１７】
積層体１１０Ｓの構成を詳述する。
【００１８】
積層体１１０Ｓは、図４に示すように、電気的に並列接続した３つの単電池１１０からなる第１セルサブアッシ１１０Ｍと、電気的に並列接続した３つの単電池１１０からなる第２セルサブアッシ１１０Ｎを、交互に直列接続して構成している。
【００１９】
第１セルサブアッシ１１０Ｍは、図４に示すように、組電池１００において、１段目（最下段）、３段目、５段目、および７段目（最上段）に位置する３つの単電池１１０に相当する。第２セルサブアッシ１１０Ｎは、図４に示すように、組電池１００において、２段目、４段目、および６段目に位置する３つの単電池１１０に相当する。
【００２０】
第１セルサブアッシ１１０Ｍと第２セルサブアッシ１１０Ｎは、同様の構成からなる。但し、第１セルサブアッシ１１０Ｍと第２セルサブアッシ１１０Ｎは、図４および図５に示すように、３つの単電池１１０の天地を入れ替えることによって、３つのアノード側電極タブ１１２Ａと３つのカソード側電極タブ１１２ＫがＺ方向に沿って交互に位置するように配置している。
【００２１】
第１セルサブアッシ１１０Ｍは、図４および図５に示すように、全てのアノード側電極タブ１１２Ａが図中右側に位置し、全てのカソード側電極タブ１１２Ｋが図中左側に位置している。
【００２２】
第２セルサブアッシ１１０Ｎは、図４および図５に示すように、全てのアノード側電極タブ１１２Ａが図中左側に位置し、全てのカソード側電極タブ１１２Ｋが図中右側に位置している。３つの単電池１１０毎に、その天地を単純に入れ替えただけでは、電極タブ１１２の先端部１１２ｄの向きがＺ方向の上下にばらついてしまう。このため、全ての単電池１１０の電極タブ１１２の先端部１１２ｄの向きが揃うように、各々の先端部１１２ｄを下方に屈折させている。
【００２３】
単電池１１０は、例えばリチウムイオン二次電池に相当する。単電池１１０は、車両用モータの駆動電圧の仕様を満たすために直列に複数接続する。単電池１１０は、電池の容量を確保して車両の走行距離を伸ばすために並列に複数接続する。
【００２４】
単電池１１０は、図３Ａおよび図３Ｂに示すように、充放電を行う発電要素１１１を含み扁平に形成した電池本体１１０Ｈ、電池本体１１０Ｈから導出し先端部１１２ｄが電池本体１１０Ｈの厚み方向に沿って屈折した電極タブ１１２、および発電要素１１１を封止するラミネートフィルム１１３を含んでいる。
【００２５】
発電要素１１１は、セパレータによって分離されたアノードとカソードを複数組積層して構成し、電極タブ１１２を介して充放電可能な蓄電体として機能する。
【００２６】
電極タブ１１２は、図３Ａ、図３Ｂおよび図４に示すように、発電要素１１１を外部に臨ませるものである。電極タブ１１２は、アノード側電極タブ１１２Ａおよびカソード側電極タブ１１２Ｋから構成している。アノード側電極タブ１１２Ａの基端側は、１つの発電要素１１１に含まれる全てのアノードに接合している。アノード側電極タブ１１２Ａは、薄板状から形成し、アノードの特性に合わせてアルミニウムからなる。カソード側電極タブ１１２Ｋの基端側は、１つの発電要素１１１に含まれる全てのカソードに接合している。カソード側電極タブ１１２Ｋは、薄板状から形成し、カソードの特性に合わせて銅からなる。
【００２７】
電極タブ１１２は、図３Ｂおよび図７に示すように、Ｌ字状に形成している。電極タブ１１２の基端部１１２ｃは、第１スペーサ１１４の支持部１１４ｋによって下方から支持されている。電極タブ１１２の先端部１１２ｄは、Ｚ方向の下方に沿って屈折し、第１スペーサ１１４の当接部１１４ｈに対面している。
【００２８】
電極タブ１１２は、図７に示すように、その幅方向（Ｙ方向）に沿った中央部１１２ｆに、孔１１２ｅを備えている。孔１１２ｅは、電極タブ１１２の基端部１１２ｃから先端部１１２ｄにかけて、長尺状に形成している。電極タブ１１２の孔１１２ｅは、第１スペーサ１１４のボス１１４ｒを挿入させる。
【００２９】
ラミネートフィルム１１３は、図３Ａおよび図３Ｂに示すように、一対からなり、電池本体１１０ＨをＺ方向に沿った上下から挟み込んで封止するものである。一対のラミネートフィルム１１３は、Ｙ方向に沿った一端部１１３ａの隙間から外部に向かって、アノード側電極タブ１１２Ａおよびカソード側電極タブ１１２Ｋを導出させている。ラミネートフィルム１１３は、シート状の金属層と、金属層を両面から被覆して絶縁するシート状の絶縁層を積層して形成されている。
【００３０】
単電池１１０は、図６に示すように一対のスペーサ（第１スペーサ１１４および第２スペーサ１１５）によって支持された状態において、図３（Ａ）、図３（Ｂ）および図４に示すように積層される。
【００３１】
一対のスペーサ（第１スペーサ１１４および第２スペーサ１１５）は、図２、図３Ａおよび図３Ｂに示すように、単電池１１０をＺ方向に沿って一定の間隔で配置している。第１スペーサ１１４は、単電池１１０の電極タブ１１２を備えた側を支持する。第２スペーサ１１５は、第１スペーサ１１４と単電池１１０のＸ方向において対向するように、単電池１１０の電極タブ１１２を備えていない側を支持する。
【００３２】
第１スペーサ１１４は、図７および図８に示すように、絶縁性を有した強化プラスチックスからなる。第１スペーサ１１４は、単電池１１０の積層方向に沿って電極タブ１１２の先端部１１２ｄに当接する当接部１１４ｈ、電極タブ１１２の先端部１１２ｄから離間するように単電池１１０の積層方向と交差する方向に窪んだ窪部１１４ｉ、および窪部１１４ｉの内側を窪部１１４ｉの外部に連通させる連通部１１４ｊを有している。さらに、第１スペーサ１１４は、図７および図８に示すように、窪部１１４ｉと隣接し、単電池１１０の積層方向（Ｚ方向）と交差する方向（Ｘ方向およびＹ方向）に沿って電極タブ１１２をＺ方向の下方から支持する支持部１１４ｋを有している。
【００３３】
第１スペーサ１１４の当接部１１４ｈは、図７に示すように、電極タブ１１２の先端部１１２ｄの幅方向（Ｙ方向）に沿った両端の部分（一端部１１２ｇおよび他端部１１２ｈ）に当接する。当接部１１４ｈは、第１スペーサ１１４のＹ方向およびＺ方向に沿った側面１１４ｍに備えている。当接部１１４ｈは、電極タブ１１２の一端部１１２ｇ、および他端部１１２ｈを、Ｘ方向に沿って支持（裏支え）している。すなわち、当接部１１４ｈは、図３Ｂに示すように、電極タブ１１２の先端部１１２ｄに当接して、電極タブ１１２の先端部１１２ｄをＸ方向に沿って位置決めしている。
【００３４】
第１スペーサ１１４の当接部１１４ｈは、図９Ａに示すように、単電池１１０の電極タブ１１２の先端部１１２ｄに当接している。一方、図９Ｂに示すように、当接部１１４ｈが存在しない領域において、単電池１１０の電極タブ１１２と第１スペーサ１１４の側面１１４ｍとの間には、連通部１１４ｊに相当する隙間が存在する。
【００３５】
第１スペーサ１１４の窪部１１４ｉは、図７〜図９Ｂに示すように、当接部１１４ｈの位置から、電極タブ１１２の幅方向（Ｙ方向）に沿ったバスバ１３２と電極タブ１１２の先端部１１２ｄとの溶接部位に対応する位置にいたる領域に備えている。窪部１１４ｉは、２つの当接部１１４ｈを水平方向（Ｙ方向）に沿って上下に分断するように、第１スペーサ１１４の側面１１４ｍに備えている。
【００３６】
第１スペーサ１１４の連通部１１４ｊは、図７〜図９Ｂに示すように、当接部１１４ｈと隣り合う部分を電極タブ１１２の先端部１１２ｄから離間するように切り欠いて形成している。連通部１１４ｊは、各々の当接部１１４ｈの間に位置する長尺状の隙間に相当する。
【００３７】
第１スペーサ１１４の支持部１１４ｋは、図７および図８に示すように、電極タブ１１２の幅方向（Ｙ方向）に沿って長尺状に備えている。支持部１１４ｋは、第１スペーサ１１４の上面にＹ方向に沿って一対備えられた平坦な支持面１１４ｂに備えている。すなわち、支持部１１４ｋは、支持面１１４ｂにおいて当接部１１４ｈに臨む直線状の外縁に沿いつつ、支持面１１４ｂから上方に向かって長方形状に突出して形成している。
【００３８】
ここで、第１スペーサ１１４は、窪部１１４ｉおよび連通部１１４ｊによって、Ｚ方向とＹ方向によってなす側面１１４ｍにおける、電極タブ１１２との接触面積を大幅に抑制している。
【００３９】
第１スペーサ１１４は、図７〜図９Ａに示すように、支持部１１４ｋから凸状のボス１１４ｒを突出させている。ボス１１４ｒは、支持部１１４ｋのＺ方向の下方に位置する窪部１１４ｉにも突出している。ボス１１４ｒは、電極タブ１１２の中央部１１２ｆに開口した孔１１２ｅに挿入して、電極タブ１１２の位置を規制する。ボス１１４ｒは、電極タブ１１２の孔１１２ｅの周囲の部分に加締めて固定する。ボス１１４ｒの加締めは、ボス１１４ｒを加熱しつつ押圧して半球状に変形させることによって行う。
【００４０】
第１スペーサ１１４は、図６および図７に示すように、支持面１１４ｂのＹ方向に沿った両端に、それぞれ上方に向かって突出した一対の連結ピン１１４ｃを備えている。一対の連結ピン１１４ｃは、円柱形状からなり、ラミネートフィルム１１３の一端部１１３ａのＹ方向に沿った両端に開口した連結孔１１３ｃに挿入することによって、単電池１１０を位置決めしている。
【００４１】
複数の第１スペーサ１１４は、図３Ｂに示すように、一の第１スペーサ１１４の上面１１４ａと、他の第１スペーサ１１４の下面１１４ｄが当接している。複数の第１スペーサ１１４は、図３Ｂに示すように、一の第１スペーサ１１４の上面１１４ａから突出した円柱形状の位置決ピン１１４ｅと、他の第１スペーサ１１４の下面１１４ｄに開口した位置決穴１１４ｆを嵌合させることによって、互いに位置決めしている。
【００４２】
第１スペーサ１１４は、図６に示すように、Ｙ方向に沿った両端に、ロケート孔１１４ｇを両端に備えている。ロケート孔１１４ｇは、複数の組電池１００同士をＺ方向に沿って位置決めしつつ連結するボルトを挿入する。
【００４３】
第２スペーサ１１５は、電極タブ１１２を支持する必要がないことから、第１スペーサ１１４を簡略化して構成している。第２スペーサ１１５は、図６に示すように、第１スペーサ１１４と同様に、第２スペーサ同士を位置決めする位置決ピン１１５ｅ、単電池１１０を位置決めする連結ピン１１５ｃ、複数の組電池１００同士を位置決めしつつ連結するボルトを挿入するロケート孔１１５ｇ等を備えている。
【００４４】
加圧ユニット１２０の構成を詳述する。
【００４５】
加圧ユニット１２０は、積層体１１０Ｓの各々の単電池１１０を加圧することによって、各々の単電池１１０内部の発電要素１１１を上下から加圧する上部加圧板１２１と下部加圧板１２２、および積層体１１０Ｓを加圧した状態の上部加圧板１２１および下部加圧板１２２を固定する一対の側板１２３を含んでいる。
【００４６】
上部加圧板１２１は、図１および図２に示すように、下部加圧板１２２と共に、積層体１１０Ｓを構成する複数の単電池１１０を上下から挟み込んで保持しつつ、各々の単電池１１０の発電要素１１１を加圧するものである。上部加圧板１２１は、凹凸を備えた板状に形成し、十分な剛性を備えた金属からなる。上部加圧板１２１は、水平面上に設けている。上部加圧板１２１は、図２に示すように、発電要素１１１を下方に向かって加圧する加圧面１２１ａを備えている。加圧面１２１ａは、平坦に形成され、上部加圧板１２１の中央の部分から下方に向かって突出している。上部加圧板１２１は、組電池１００同士を連結するボルトを挿入するロケート孔１２１ｂを備えている。ロケート孔１２１ｂは、貫通孔からなり、上部加圧板１２１の四隅に開口している。
【００４７】
下部加圧板１２２は、図２に示すように、上部加圧板１２１と同一の形状からなり、上部加圧板１２１の天地を逆転させるように設けている。下部加圧板１２２は、上部加圧板１２１と同様に、発電要素１１１を上方に向かって加圧する加圧面１２２ａ、および組電池１００同士をＺ方向に沿って位置決めしつつ連結するボルトを挿入するロケート孔１２２ｂを備えている。
【００４８】
一対の側板１２３は、図１および図２に示すように、積層体１１０Ｓを加圧した状態の上部加圧板１２１および下部加圧板１２２を固定するものである。すなわち、一対の側板１２３は、上部加圧板１２１および下部加圧板１２２の間隔を一定に維持する。また、一対の側板１２３は、積層した単電池１１０のＸ方向に沿った側面を被覆して保護する。側板１２３は、平板状に形成し、金属からなる。一対の側板１２３は、積層した単電池１１０のＸ方向に沿った両側面に対向するように、起立して設けている。一対の側板１２３は、上部加圧板１２１および下部加圧板１２２に対して溶接している。
【００４９】
バスバユニット１３０の構成を詳述する。
【００５０】
バスバユニット１３０は、複数のバスバ１３２を一体的に保持するバスバホルダ１３１、異なる単電池１１０（上下に並んだ単電池１１０）の電極タブ１１２の先端部１１２ｄ同士を電気的に接続するバスバ１３２、電気的に接続された複数の単電池１１０のアノード側の終端を外部の入出力端子に臨ませるアノード側ターミナル１３３、電気的に接続された複数の単電池１１０のカソード側の終端を外部の入出力端子に臨ませるカソード側ターミナル１３４、およびバスバ１３２等を保護する保護カバー１３５を含んでいる。
【００５１】
バスバホルダ１３１は、図２および図４に示すように、複数のバスバ１３２を一体的に保持するものである。バスバホルダ１３１は、複数のバスバ１３２を、積層体１１０Ｓの各々の単電池１１０の電極タブ１１２に対面するように、マトリクス状に一体的に保持している。バスバホルダ１３１は、絶縁性を備えた樹脂からなり、枠状に形成している。
【００５２】
バスバホルダ１３１は、図４に示すように、単電池１１０の電極タブ１１２を支持している方の第１スペーサ１１４の長手方向の両側に位置するように、Ｚ方向に沿って起立した一対の支柱部１３１ａをそれぞれ備えている。一対の支柱部１３１ａは、第１スペーサ１１４の側面に嵌合する。一対の支柱部１３１ａは、Ｚ方向に沿って視認した場合にＬ字状であって、Ｚ方向に沿って延在した板状に形成している。バスバホルダ１３１は、第１スペーサ１１４の長手方向の中央付近に位置するように、Ｚ方向に沿って起立した補助支柱部１３１ｂを備えている。補助支柱部１３１ｂは、Ｚ方向に沿って延在した、ＸＹ平面に沿う断面でコ字状に形成している。
【００５３】
バスバホルダ１３１は、図４に示すように、Ｚ方向に沿って隣り合うバスバ１３２の間にそれぞれ突出する絶縁部１３１ｃを備えている。絶縁部１３１ｃは、Ｙ方向に沿って延在した板状に形成している。各々の絶縁部１３１ｃは、支柱部１３１ａと補助支柱部１３１ｂの間に水平に備えている。絶縁部１３１ｃは、Ｚ方向に沿って隣り合うバスバ１３２の間を絶縁することによって放電を防止する。
【００５４】
バスバホルダ１３１は、それぞれ独立して形成した支柱部１３１ａと補助支柱部１３１ｂおよび絶縁部１３１ｃを互いに接合して構成してもよいし、支柱部１３１ａと補助支柱部１３１ｂおよび絶縁部１３１ｃを一体的に成形して構成してもよい。
【００５５】
バスバ１３２は、図３Ａ、図３Ｂ、図４および図５に示すように、上下に並んだ単電池１１０の電極タブ１１２を電気的に接続するものである。バスバ１３２は、一の単電池１１０のアノード側電極タブ１１２Ａと、他の単電池１１０のカソード側電極タブ１１２Ｋを電気的に接続する。バスバ１３２は、図５に示すように、例えば、第１セルサブアッシ１１０Ｍの上下に３つ並んだアノード側電極タブ１１２Ａと、第２セルサブアッシ１１０Ｎの上下に３つ並んだカソード側電極タブ１１２Ｋを電気的に接続する。
【００５６】
すなわち、バスバ１３２は、図５に示すように、例えば、第１セルサブアッシ１１０Ｍの３つのアノード側電極タブ１１２Ａを並列接続し、かつ、第２セルサブアッシ１１０Ｎの３つのカソード側電極タブ１１２Ｋを並列接続する。さらに、バスバ１３２は、第１セルサブアッシ１１０Ｍの３つのアノード側電極タブ１１２Ａと、第２セルサブアッシ１１０Ｎの３つのカソード側電極タブ１１２Ｋを直列接続する。バスバ１３２は、一の単電池１１０のアノード側電極タブ１１２Ａと、他の単電池１１０のカソード側電極タブ１１２Ｋに対してレーザ溶接している。
【００５７】
バスバ１３２は、図３Ａおよび図４に示すように、アノード側バスバ１３２Ａとカソード側バスバ１３２Ｋを接合して構成している。アノード側バスバ１３２Ａとカソード側バスバ１３２Ｋは、同一の形状からなり、それぞれＬ字状に形成している。バスバ１３２は、図３Ａおよび図４に示すように、アノード側バスバ１３２Ａの屈折した一端と、カソード側バスバ１３２Ｋの屈折した一端を接合してなる接合部１３２ｃによって、一体化している。バスバ１３２を構成するアノード側バスバ１３２Ａおよびカソード側バスバ１３２Ｋは、図４に示すように、Ｙ方向に沿った両端にバスバホルダ１３１と接合する側部１３２ｄを備えている。
【００５８】
アノード側バスバ１３２Ａは、単電池１１０のアノード側電極タブ１１２Ａと同様に、アルミニウムからなる。カソード側バスバ１３２Ｋは、単電池１１０のカソード側電極タブ１１２Ｋと同様に、銅からなる。異なる金属からなるアノード側バスバ１３２Ａとカソード側バスバ１３２Ｋは、超音波接合によって互いに接合し、接合部１３２ｃを形成している。
【００５９】
マトリクス状に配設したバスバ１３２のうち、図４の図中右上に位置するバスバ１３２は、２１つの単電池１１０（３並列７直列）のアノード側の終端に相当し、アノード側バスバ１３２Ａのみから構成している。このアノード側バスバ１３２Ａは、積層した単電池１１０のうち最上部の３つの単電池１１０のアノード側電極タブ１１２Ａに対してレーザ接合している。
【００６０】
マトリクス状に配設したバスバ１３２のうち、図４の図中左下に位置するバスバ１３２は、２１つの単電池１１０（３並列７直列）のカソード側の終端に相当し、カソード側バスバ１３２Ｋのみから構成している。このカソード側バスバ１３２Ｋは、積層した単電池１１０のうち最下部の３つの単電池１１０のカソード側電極タブ１１２Ｋに対してレーザ接合している。
【００６１】
アノード側ターミナル１３３は、図１および図２に示すように、電気的に接続された複数の単電池１１０のアノード側の終端を外部の入出力端子に臨ませるものである。アノード側ターミナル１３３は、図２に示すように、マトリクス状に配設したバスバ１３２のうち、図中右上に位置するアノード側バスバ１３２Ａに接合する。アノード側ターミナル１３３は、両端を屈折させた板状に形成し、導電性を備えた金属からなる。
【００６２】
カソード側ターミナル１３４は、図１および図２に示すように、電気的に接続された複数の単電池１１０のカソード側の終端を外部の入出力端子に臨ませるものである。カソード側ターミナル１３４は、図２に示すように、マトリクス状に配設したバスバ１３２のうち、図中左下に位置するカソード側バスバ１３２Ｋに接合する。カソード側ターミナル１３４は、アノード側ターミナル１３３と同一の形状からなり、天地を反転させている。
【００６３】
保護カバー１３５は、図１および図２に示すように、バスバ１３２等を保護するものである。すなわち、保護カバー１３５は、複数のバスバ１３２を一体的に被覆することによって、各々のバスバ１３２が他の部材等と接触して電気的な短絡が発生することを防止する。保護カバー１３５は、図２に示すように、Ｚ方向に沿って起立した側面１３５ａの一端１３５ｂと他端１３５ｃを爪のようにＸ方向に向かって屈折し、絶縁性を備えたプラスチックスからなる。
【００６４】
保護カバー１３５は、側面１３５ａによって各々のバスバ１３２を被覆しつつ、一端１３５ｂと他端１３５ｃによってバスバホルダ１３１を上下から挟み込んで固定している。保護カバー１３５は、矩形状の孔からなりアノード側ターミナル１３３を外部に臨ませる第１開口１３５ｄと、矩形状の孔からなりカソード側ターミナル１３４を外部に臨ませる第２開口１３５ｅを、それぞれ側面１３５ａに備えている。
【００６５】
図９Ａおよび図９Ｂを参照して、組電池１００の製造方法のうち、バスバ１３２と単電池１１０の電極タブ１１２との溶接方法を説明する。
【００６６】
各々の単電池１１０の間に第１スペーサ１１４を配置する。つぎに、バスバ１３２を各々の電極タブ１１２の先端部１１２ｄに当接させる。図９Ａに示すように、第１スペーサ１１４の当接部１１４ｈは、バスバ１３２および電極タブ１１２の先端部１１２ｄを支持（裏支え）する。つぎに、図９Ａおよび図９Ｂに示すように、溶接用のレーザ光Ｌを第１スペーサ１１４の窪部１１４ｉの位置に対応するようにバスバ１３２に照射して、バスバ１３２と単電池１１０の先端部１１２ｄとを溶接する。ここで、図９Ｂに示すように、バスバ１３２に対するレーザ光Ｌの照射に伴って加熱された第１スペーサ１１４の窪部１１４ｉの内側から発生したガスは、連通部１１４ｊ（単電池１１０の電極タブ１１２と第１スペーサ１１４の側面１１４ｍとの間の隙間）を介して、窪部１１４ｉの外部に排出される。
【００６７】
以上説明した第１実施形態の作用効果を説明する。
【００６８】
第１スペーサ１１４は、絶縁性を有し、発電要素１１１を含み扁平に形成した電池本体１１０Ｈと電池本体１１０Ｈから導出し先端部１１２ｄが電池本体１１０Ｈの厚み方向に沿って屈折した電極タブ１１２とを備え互いに積層する単電池１１０同士をバスバ１３２によって単電池１１０の積層方向に沿って電気的に接続してなる組電池１００に用い、各々の単電池１１０の間に備える。第１スペーサ１１４は、当接部１１４ｈと、窪部１１４ｉと、連通部１１４ｊと、を有する。当接部１１４ｈは、単電池１１０の積層方向に沿って電極タブ１１２の先端部１１２ｄに当接する。窪部１１４ｉは、電極タブ１１２の先端部１１２ｄから離間するように単電池１１０の積層方向と交差する方向に窪んでいる。連通部１１４ｊは、窪部１１４ｉの内側を窪部１１４ｉの外部に連通させる。
【００６９】
組電池１００は、互いに積層する複数の単電池１１０と、複数の第１スペーサ１１４と、バスバ１３２と、を有する。単電池１１０は、発電要素１１１を含み扁平に形成した電池本体１１０Ｈと、電池本体１１０Ｈから導出し先端部１１２ｄが電池本体１１０Ｈの厚み方向に沿って屈折した電極タブ１１２と、を備えた。第１スペーサ１１４は、絶縁性を有し、単電池１１０の積層方向に沿って電極タブ１１２の先端部１１２ｄに当接する当接部１１４ｈと、電極タブ１１２の先端部１１２ｄから離間するように単電池１１０の積層方向と交差する方向に窪んだ窪部１１４ｉと、窪部１１４ｉの内側を窪部１１４ｉの外部に連通させる連通部１１４ｊと、を備えた。バスバ１３２は、異なる単電池１１０の電極タブ１１２の先端部１１２ｄ同士を電気的に接続する。
【００７０】
組電池１００の製造方法は、発電要素１１１を含み扁平に形成した電池本体１１０Ｈと電池本体１１０Ｈから導出し先端部１１２ｄが電池本体１１０Ｈの厚み方向に沿って屈折した電極タブ１１２とを備えた各々の単電池１１０の間に、上記の第１スペーサ１１４を配置する。さらに、異なる単電池１１０の電極タブ１１２の先端部１１２ｄ同士を電気的に接続するバスバ１３２を、各々の電極タブ１１２の先端部１１２ｄに当接させる。さらに、溶接用のレーザ光Ｌを第１スペーサ１１４の窪部１１４ｉの位置に対応するようにバスバ１３２に照射して、バスバ１３２と単電池１１０の先端部１１２ｄとを溶接する。
【００７１】
かかる第１スペーサ１１４、組電池１００、および組電池１００の製造方法によれば、溶接用のレーザ光Ｌを第１スペーサ１１４の窪部１１４ｉの位置に対応するようにバスバ１３２に照射したときに、バスバ１３２および単電池１１０の電極タブ１１２を介して第１スペーサ１１４の当接部１１４ｈが加熱される。第１スペーサ１１４の当接部１１４ｈは、レーザ光Ｌの照射方向と反対側から電極タブ１１２の先端部１１２ｄに当接することによって、バスバ１３２と電極タブ１１２の先端部１１２ｄとが互いに密着して溶接し易いように、バスバ１３２および電極タブ１１２の先端部１１２ｄを支持（裏支え）する。ここで、第１スペーサ１１４が加熱されることによって窪部１１４ｉの内側から発生したガスは、連通部１１４ｊを介して窪部１１４ｉの外部に排出される。ガスは、第１スペーサ１１４が加熱されることによって気化したものであって、仮にバスバ１３２と単電池１１０の電極タブ１１２との溶接部分に混入すると、溶接部分の機械的強度が低下すると共に電気抵抗が増加する。したがって、第１スペーサ１１４、組電池１００、および組電池１００の製造方法によれば、バスバ１３２と単電池１１０の電極タブ１１２との溶接部分における機械的強度の低下および電気抵抗の増加を防止することができる。
【００７２】
第１スペーサ１１４の当接部１１４ｈは、電極タブ１１２の先端部１１２ｄの幅方向（Ｙ方向）に沿った両端の部分（一端部１１２ｇおよび他端部１１２ｈ）に当接することが好ましい。
【００７３】
かかる第１スペーサ１１４によれば、電極タブ１１２の先端部１１２ｄの両端の部分（一端部１１２ｇおよび他端部１１２ｈ）を第１スペーサ１１４の当接部１１４ｈによって支持（裏支え）することができる。したがって、第１スペーサ１１４によれば、バスバ１３２と単電池１１０の電極タブ１１２とを十分に溶接しつつ、溶接部分における機械的強度の低下および電気抵抗の増加を防止することができる。
【００７４】
また、かかる第１スペーサ１１４によれば、電極タブ１１２の幅方向（Ｙ方向）に沿った両端（左右）の部分に当接することによって、電極タブ１１２の幅方向（Ｙ方向）と交差する方向（Ｚ方向）に沿った両端（上下）の部分に当接する場合と比較して、Ｚ方向に沿った厚みを抑制することができる。したがって、第１スペーサ１１４によれば、複数の第１スペーサ１１４をＺ方向に沿って積層して組電池１００を構成するときに、その積層効率を維持することができる。
【００７５】
また、かかる第１スペーサ１１４によれば、バスバ１３２を第１スペーサ１１４の側に向かって押圧しつつ、バスバ１３２と隣接する電極タブ１１２の両端の部分（一端部１１２ｇおよび他端部１１２ｈ）を第１スペーサ１１４の当接部１１４ｈによって支持（裏支え）すれば、電極タブ１１２の両端の部分（一端部１１２ｇおよび他端部１１２ｈ）から離間した周囲の部分もバスバ１３２に対して接触させることができる。特に、電極タブ１１２の先端部１１２ｄが歪んでいるような場合に、第１スペーサ１１４の当接部１１４ｈによって電極タブ１１２の先端部１１２ｄの両端の部分（一端部１１２ｇおよび他端部１１２ｈ）を押圧して、その歪を矯正することができる。したがって、第１スペーサ１１４によれば、バスバ１３２と単電池１１０の電極タブ１１２とを十分に溶接しつつ、その溶接部分における機械的強度の低下および電気抵抗の増加を防止することができる。
【００７６】
第１スペーサ１１４の窪部１１４ｉは、当接部１１４ｈの位置から、電極タブ１１２の幅方向（Ｙ方向）に沿ったバスバ１３２と電極タブ１１２の先端部１１２ｄとの溶接部位に対応する位置にいたる領域に備えることが好ましい。
【００７７】
かかる第１スペーサ１１４によれば、電極タブ１１２の先端部１１２ｄを当接部１１４ｈによって支持（裏支え）しつつ、その当接部１１４ｈの領域にも窪部１１４ｉを備えることによって、電極タブ１１２の先端部１１２ｄとの接触を最小限にすることができる。すなわち、第１スペーサ１１４の当接部１１４ｈが、電極タブ１１２の先端部１１２ｄを介して加熱されることによって発生するガスを、窪部１１４ｉによって十分に抑制することができる。したがって、第１スペーサ１１４によれば、バスバ１３２と単電池１１０の電極タブ１１２とを十分に溶接しつつ、その溶接部分における機械的強度の低下および電気抵抗の増加を防止することができる。
【００７８】
第１スペーサ１１４の連通部１１４ｊは、当接部１１４ｈと隣り合う部分を電極タブ１１２の先端部１１２ｄから離間するように切り欠いてなることが好ましい。
【００７９】
かかる第１スペーサ１１４によれば、非常に簡便な構成によって連通部１１４ｊを備えることができる。第１スペーサ１１４は、連通部１１４ｊを備えることによって、サイズが大きくなったり、製造に手間が掛かったり、製造コストが増大したりすることもない。
【００８０】
（第１実施形態の変形例）
図１０は、第１実施形態の変形例の第１スペーサ２１４の一部を示す斜視図である。
【００８１】
第１実施形態の変形例の第１スペーサ２１４は、その当接部２１４ｈが、電極タブ１１２の両端（一端部１１２ｇおよび他端部１１２ｈ）に加えて、その両端から離間した中央部１１２ｆにも当接する点において、前述した第１実施形態の第１スペーサ１１４と相違する。前述した第１実施形態の第１スペーサ１１４は、その当接部１１４ｈが、電極タブ１１２の両端（一端部１１２ｇおよび他端部１１２ｈ）のみに当接している。
【００８２】
第１スペーサ２１４の当接部２１４ｈは、図１０に示すように、側面２１４ｍにおいてＹ方向に沿って一定の間隔で整列するように、電極タブ１１２の一端部１１２ｇおよび他端部１１２ｈに対向する位置に１つずつ、電極タブ１１２の中央部１１２ｆに対向する位置に１つ、さらには電極タブの一端部１１２ｇと中央部１１２ｆとの中間および電極タブの他端部１１２ｈと中央部１１２ｆとの中間の位置にそれぞれ１つずつ、合計５つ備えている。複数の当接部２１４ｈは、全て同一の形状から形成してもよいし、側面２１４ｍの真ん中や両端に位置するものをＹ方向に沿って相対的に長く形成してもよい。
【００８３】
以上説明した第１実施形態の変形例の作用効果を説明する。
【００８４】
第１スペーサ２１４は、その当接部２１４ｈが、電極タブ１１２の先端部１１２ｄの幅方向（Ｙ方向）に沿った両端（一端部１１２ｇおよび他端部１１２ｈ）から離間した部分（例えば中央部１１２ｆ等）に当接する。
【００８５】
かかる第１スペーサ２１４によれば、電極タブ１１２の先端部１１２ｄの両端から離間した部分（例えば中央部１１２ｆ）を第１スペーサ２１４の当接部２１４ｈによって支持（裏支え）することができる。したがって、第１スペーサ２１４によれば、バスバ１３２と単電池１１０の電極タブ１１２とを十分に溶接しつつ、溶接部分における機械的強度の低下および電気抵抗の増加を防止することができる。
【００８６】
また、かかる第１スペーサ２１４によれば、バスバ１３２を第１スペーサ２１４の側に向かって押圧しつつ、バスバ１３２と隣接する電極タブ１１２の両端から離間した部分（例えば中央部１１２ｆ）を第１スペーサ２１４の当接部２１４ｈによって支持（裏支え）すれば、電極タブ１１２の例えば中央部１１２ｆの周囲の部分もバスバ１３２に対して接触させることができる。このような構成は、第１スペーサ２１４が、電極タブ１１２の幅方向（Ｙ方向）に沿った全長がＺ方に沿った全長と比較して十分に長い場合に、効果的である。特に、電極タブ１１２の先端部１１２ｄが歪んでいるような場合に、第１スペーサ２１４の当接部２１４ｈによって電極タブ１１２の先端部１１２ｄの中央部１１２ｆを押圧して、その歪を矯正することができる。したがって、第１スペーサ２１４によれば、バスバ１３２と単電池１１０の電極タブ１１２とを十分に溶接しつつ、その溶接部分における機械的強度の低下および電気抵抗の増加を防止することができる。
【００８７】
（第２実施形態）
図１１は、第２実施形態の第１スペーサ３１４の一部（Ｙ方向に沿った片側）を示す斜視図である。図１２Ａは、図１１の第１スペーサ３１４の１２Ａ−１２Ａで表す断面によって第１スペーサ３１４と単電池１１０の一部を示す側面図である。図１２Ｂは、図１１の第１スペーサ３１４の１２Ｂ−１２Ｂで表す断面によって第１スペーサ３１４と単電池１１０の一部を示す側面図である。
【００８８】
第２実施形態の第１スペーサ３１４は、電極タブ１１２を下方から支持する支持部３１４ｋを、電極タブ１１２の幅方向（Ｙ方向）に沿って間欠的に備えている点において、前述した第１実施形態の第１スペーサ１１４と相違する。前述した第１実施形態の第１スペーサ１１４は、電極タブ１１２を下方から支持する支持部１１４ｋを、電極タブ１１２の幅方向（Ｙ方向）に沿って長尺状に備えている。
【００８９】
第１スペーサ３１４は、図１１に示すように、平坦な支持面３１４ｂからＺ方向に沿った上方に向かって長方形状に突出した支持部３１４ｋを備えている。支持部３１４ｋは、支持面３１４ｂの中央に１つ、および支持面３１４ｂのＹ方向に沿った両端に１つずつ備えている。支持面３１４ｂの中央の支持部３１４ｋは、ボス３１４ｒを突出させている。支持部３１４ｋは、電極タブ１１２の幅方向（Ｙ方向）に沿った中央部１１２ｆ、一端部１１２ｇ、および他端部１１２ｈを支持する。第１スペーサ３１４は、図１２Ａに示すように、支持部３１４ｋによって、単電池１１０の電極タブ１１２の基端部１１２ｃを下方から支持する。一方、図１２Ｂに示すように、支持部３１４ｋが存在しない領域において、単電池１１０の電極タブ１１２と支持面３１４ｂとの間には、隙間が存在する。
【００９０】
ここで、第１スペーサ３１４は、窪部３１４ｉおよび連通部３１４ｊによって、Ｚ方向とＹ方向によってなす側面３１４ｍにおける、電極タブ１１２との接触面積を大幅に抑制している。さらに、第１スペーサ３１４は、間欠的に備えた支持部３１４ｋによって、Ｘ方向とＹ方向によってなす上面における、電極タブ１１２との接触面積を大幅に抑制している。
【００９１】
以上説明した第２実施形態の作用効果を説明する。
【００９２】
第１スペーサ３１４は、窪部３１４ｉと隣接し、単電池１１０の積層方向（Ｚ方向）と交差する方向（Ｘ方向およびＹ方向）に沿って電極タブ１１２を部分的に支持する支持部３１４ｋを有する。
【００９３】
かかる第１スペーサ３１４によれば、加熱されることによって窪部３１４ｉの内側から発生したガスを、連通部３１４ｊを介して直接的に窪部３１４ｉの外部に排出すると共に、連通部３１４ｊから支持部３１４ｋの周囲の空間（例えばＹ方向に沿って離間して隣り合う支持部３１４ｋと支持部３１４ｋとの隙間）を介して窪部３１４ｉの外部に排出することができる。したがって、第１スペーサ３１４、第１スペーサ３１４を備えた組電池、および第１スペーサ３１４を備えた組電池の製造方法によれば、バスバ１３２と単電池１１０の電極タブ１１２との溶接部分における機械的強度の低下および電気抵抗の増加を十分に防止することができる。
【００９４】
（第３実施形態）
図１３は、第３実施形態の第１スペーサ４１４の一部（Ｙ方向に沿った片側）を示す斜視図である。
【００９５】
第３実施形態の第１スペーサ４１４は、窪部４１４ｉの内側を窪部４１４ｉの外部に連通させる連通部４１４ｊを、当接部４１４ｈから離間した部分を単電池１１０の積層方向（Ｚ方向）に沿って窪部４１４ｉまで貫通させて構成している点において、前述した第１実施形態の第１スペーサ１１４と相違する。前述した第１実施形態の第１スペーサ１１４は、連通部１１４ｊを、当接部１１４ｈと隣り合う部分を電極タブ１１２の先端部１１２ｄから離間するように切り欠いて構成している。
【００９６】
連通部４１４ｊは、支持部４１４ｋをＺ方向に沿って貫通した円筒形状の貫通孔によって構成している。連通部４１４ｊは、支持部４１４ｋのＺ方向に沿った下方に位置する窪部４１４ｉを貫通している。連通部４１４ｊは、第１スペーサ４１４の側面をなす当接部４１４ｈから離間している。連通部４１４ｊは、支持部４１４ｋにおいてＹ方向に沿って一定の間隔で複数備えている。
【００９７】
以上説明した第３実施形態の作用効果を説明する。
【００９８】
第１スペーサ４１４において、連通部４１４ｊは、当接部４１４ｈから離間した部分を、単電池１１０の積層方向（Ｚ方向）に沿って窪部４１４ｉまで貫通させてなる。
【００９９】
かかる第１スペーサ４１４によれば、非常に簡便な構成によって連通部４１４ｊを備えることができる。第１スペーサ４１４は、連通部４１４ｊを備えることによって、サイズが大きくなったり、製造に手間が掛かったり、製造コストが増大したりすることもない。したがって、第１スペーサ４１４、第１スペーサ４１４を備えた組電池、および第１スペーサ４１４を備えた組電池の製造方法によれば、サイズの増大や製造上の制約を受けることなく、バスバ１３２と単電池１１０の電極タブ１１２との溶接部分における機械的強度の低下および電気抵抗の増加を防止することができる。
【０１００】
そのほか、本発明は、特許請求の範囲に記載された構成に基づき様々な改変が可能であり、それらについても本発明の範疇である。
【０１０１】
本出願は、２０１６年１１月７日に出願された日本特許出願番号２０１６−２１７５１０号に基づいており、その開示内容は、参照され、全体として、組み入れられている。
【符号の説明】
【０１０２】
１００    組電池、
１１０    単電池、
１１０Ｍ  第１セルサブアッシ、
１１０Ｎ  第２セルサブアッシ、
１１０Ｓ  積層体、
１１０Ｈ  電池本体、
１１１    発電要素、
１１２    電極タブ、
１１２Ａ  アノード側電極タブ、
１１２Ｋ  カソード側電極タブ、
１１２ｃ  基端部、
１１２ｄ  先端部、
１１２ｅ  孔、
１１２ｆ  中央部、
１１２ｇ  一端部、
１１２ｈ  他端部、
１１３  ラミネートフィルム、
１１４，３１４，４１４  第１スペーサ、
１１４ａ，２１４ａ  上面、
１１４ｂ，２１４ｂ，３１４ｂ，４１４ｂ  支持面、
１１４ｃ，２１４ｃ  連結ピン、
１１４ｄ  下面、
１１４ｅ，２１４ｅ  位置決ピン、
１１４ｆ  位置決穴、
１１４ｇ，２１４ｇ  ロケート孔、
１１４ｈ，２１４ｈ，３１４ｈ，４１４ｈ  当接部、
１１４ｉ，２１４ｉ，３１４ｉ，４１４ｉ  窪部、
１１４ｊ，２１４ｊ，３１４ｊ，４１４ｊ  連通部、
１１４ｋ，２１４ｋ，３１４ｋ，４１４ｋ  支持部、
１１４ｍ，２１４ｍ，３１４ｍ  側面、
１１４ｒ，２１４ｒ，３１４ｒ，４１４ｒ  ボス、
１１５    第２スペーサ、
１２０    加圧ユニット、
１２１    上部加圧板、
１２２    下部加圧板、
１２３    側板、
１３０    バスバユニット、
１３１    バスバホルダ、
１３２    バスバ、
１３２Ａ  アノード側バスバ、
１３２Ｋ  カソード側バスバ、
１３３    アノード側ターミナル、
１３４    カソード側ターミナル、
１３５    保護カバー、
Ｘ        単電池１１０の長手方向、
Ｙ        単電池１１０の短手方向、
Ｚ        単電池１１０の積層方向。
【図１】
2018084088.tif 000003
【図２】
2018084088.tif 000004
【図３Ａ】
2018084088.tif 000005
【図３Ｂ】
2018084088.tif 000006
【図４】
2018084088.tif 000007
【図５】
2018084088.tif 000008
【図６】
2018084088.tif 000009
【図７】
2018084088.tif 000010
【図８】
2018084088.tif 000011
【図９Ａ】
2018084088.tif 000012
【図９Ｂ】
2018084088.tif 000013
【図１０】
2018084088.tif 000014
【図１１】
2018084088.tif 000015
【図１２Ａ】
2018084088.tif 000016
【図１２Ｂ】
2018084088.tif 000017
【図１３】
2018084088.tif 000018
【国際調査報告】
2018084088.tif 000019
2018084088.tif 000020
2018084088.tif 000021
2018084088.tif 000022